【事件の表示】
　特願２０００−１８９０８４「パチンコ機」拒絶査定不服審判事件〔平成１３年　１月２３日出願公開、特開２００１−　１７６８５〕について、次のとおり審決する。
【結　論】
　本件審判の請求は、成り立たない。
【理　由】
１．手続きの経緯、本願発明
　本願は、出願日が平成４年４月２８日である実願平４−３５２５０号を、平成１２年５月２５日に特許出願（特願２０００−１５４２６８号）に変更し、更にその特許出願の一部を平成１２年６月２３日に新たな特許出願としたものであって、その請求項１に係る発明は、平成１４年９月９日付けの手続補正書により補正された明細書及び図面の記載からみて、その特許請求の範囲の請求項１に記載されたとおりの次のとおりのものである。
　
【請求項１】　遊技者が弾発した打球が流下する遊技部に、風車と、複数の図柄を可変表示可能な図柄表示部を備える特別図柄表示装置と、この特別図柄表示装置の可変表示を開始させる始動手段と、特別図柄表示装置が停止表示する図柄の表示態様により作動して、遊技者に不利な第１状態と遊技者に有利な第２状態とに変換可能な変動入賞装置とを備えるパチンコ機において、
　前記特別図柄表示装置の下縁の両側には、遊技者が弾発した球を誘導可能な球誘導片を設けるとともに前記球誘導片の間には球落下部を形成し、
　前記特別図柄表示装置の左右の斜上方に配設した風車の各々の下方から第１の連釘及び前記球誘導片に連なる第２の連釘を配置して前記球誘導片と共に誘導手段を形成し、
　前記球落下部の下方に始動手段を配設するとともに、当該始動手段は特別図柄表示装置と変動入賞装置との間に配設され、
　前記誘導手段は、遊技者が遊技盤のほぼ中央へ向けて弾発した球のほとんどを誘導して前記球落下部から下方に配設された始動手段の上方へ流下させるようにした、
　ことを特徴とするパチンコ機。（以下「本願発明」という。）
　
２．引用例
　これに対し、原査定では拒絶の理由で、以下の引用例１，２、及び、周知例として引用例３，４を引用している。
　
引用例１：実願昭６０−５５８９７号（実開昭６１−１７１９８２号）のマイクロフィルム（原査定で引用文献１として提示した刊行物）
引用例２：特開平２−２０９１８０号公報（原査定で引用文献２として提示した刊行物）
引用例３：実願平２−６８０６５号（実開平４−２７９７９号）のマイクロフィルム（原査定で周知例として提示した刊行物）
引用例４：実願平２−５５０号（実開平３−９４２８７号）のマイクロフィルム（原査定で周知例として提示した刊行物）
　
２−１．引用例に記載された発明
（１） 引用例１
　引用例１［実願昭６０−５５８９７号（実開昭６１−１７１９８２号）のマイクロフィルム］には、図面とともに、次の事項が記載されている。
「三連表示装置の両側外方下部には中央側に下がるパチンコ玉の誘導部材を設け、しかも開閉型入賞球装置と分離独立させたことを特徴とするパチンコ機の役物。」（第１頁第５−８行）
「本考案は上記構成により、三連表示装置をパチンコ機盤面の中央に配置しても、広幅入賞口を有する開閉型入賞球装置を三連表示装置と離れた下方、特にパチンコ機盤面の最下位まで下げて配置することができるようになり、パチンコ玉が盤面の最下位に落ち込むまでゲームの興味を継続させることができるようになる。」（第３頁第１−７行）
「入賞回数表示装置９の両側外方（三連表示装置１の両側外方下部）には入賞回数表示装置９の中央部側に向けて下がる２つの傾斜面１０を形成するパチンコ玉の誘導部材１１を前方に突出させ、その誘導部材１１の前面にはポリカーボネート等の光透過性材料の板材１２を取り付けて正面を華やかにする。」（第４頁第２−８行）
「本体２と開閉型入賞球装置２５との間の盤面２２には、単発入賞口または三連表示装置始動用の入賞口となるセンター下部チャッカー２６および釘（図示せず）を配設し、本体２の両側外方にはチャッカー２７，２８、風車２９，３０、および釘（図示せず）を配設し、さらに開閉型入賞球装置２５の両側外方にチューリップ３１，３２を配設する。この他、盤面２２の全体に釘（図示せず）を配設してパチンコ玉の反発箇所を適宜設ける。」（第６頁第７−１６行）
「このように構成し、配置した本実施例は、はじき出されたパチンコ玉が最上部から落下するとき、運良く表示装置側の本体２に設けられた誘導部材１１の傾斜面上に乗ると、中央部よりにパチンコ玉が誘導されて広幅入賞口２４の真上に位置する玉の範囲を広くし、しかもその下方に配置する釘の調整を容易にさせ、さらに本体２と開閉型入賞球装置２５との間にセンター下部チャッカー２６あるいは釘が配設されているため下方に位置している広幅入賞口２４に入るか入らないか確定できず、……」（第６頁第１７行−第７頁第７行）
　また、図面の第３図の記載からみて、誘導部材１１，１１の間には、パチンコ玉を誘導して下方に配設されたセンター下部チャッカー２６の上方へ流下させる間隙が存在し、役物本体２の左右の斜上方には風車３０，３０が配設されているものと認められる。
　以上の記載によれば、引用例１には、
「打ち出されたパチンコ玉が流下する盤面に、風車３０，３０と、複数の図柄を可変表示可能な三連表示装置１を備える役物本体２と、三連表示装置始動用の入賞口となるセンター下部チャッカー２６と、開閉型入賞球装置２５とを備えるパチンコ機において、前記役物本体２の下縁の両側には、打ち出されたパチンコ玉を誘導可能な誘導部材１１，１１を設けるとともに前記誘導部材１１，１１の間には間隙を有し、前記役物本体２の左右の斜上方に風車３０，３０を配設し、前記間隙の下方にセンター下部チャッカー２６を配設するとともに、当該センター下部チャッカー２６は役物本体２と開閉型入賞球装置２５との間に配設され、前記誘導部材１１，１１は、パチンコ玉を誘導して前記間隙から下方に配設されたセンター下部チャッカー２６の上方へ流下させるようにしたパチンコ機」（以下、「引用発明」という。）
　との発明が開示されていると認めることができる。
（２） 引用例２
　引用例２［特開平２−２０９１８０号公報］には、図面とともに、次の事項が記載されている。
「この発明は、特別入賞口に遊技球が入賞したときに行われる第１のゲームの結果により第１の権利が発生して変動入賞装置が入賞し易い第１の特別遊技状態に変換し、特定入賞口に遊技球が入賞したときに行われる第２のゲームの結果により第２の権利が発生して変動入賞装置が入賞し易い第２の特別遊技状態に変換するように構成したパチンコ遊技機に関する。」（第１頁右欄第１３−２０行）
「この遊技領域２の中央上部には変動入賞装置２０が設置されている。この変動入賞装置２０の上部中央には可動部材２３，２３によって開閉される大入賞口２１が設けられ、その上側の鎧部２２の前面側には常時は第１の特別遊技の権利（第１の権利）を発生させる第１のゲームを行う第１のゲーム手段としての可変表示器２４が設置され、……」（第２頁右下欄第１８行−第３頁左上欄第４行）
「変動入賞装置２０の周りには風車と呼ばれる打球方向変換部材６が設置され、遊技領域２の下方側左右位置にはチューリップ式の一般入賞装置８が設置されている。また、遊技領域２の適宜位置にはそれぞれ障害釘９が植設されている。」（第３頁左下欄第４−８行）
「このように、変動特別入賞口５１９，５１９中に入賞するごとに行われる可変表示器２４によるゲームの結果、ぞろ目の数字表示（例えば、「１，１，１」、「２，２，２」など）で停止したときには第１の権利（第１の特別遊技の権利）が発生され、それ以外の数字表示（例えば、「２，６，５」、「１，４，３」など）となったときには“ハズレ”となる。ここに、第１の権利（第１の特別遊技の権利）に基づいて行われる第１の特別遊技とは変動入賞装置２０によって遊技者に多くの賞球獲得のチャンスを与える遊技内容で、例えば、可動部材２３，２３が第２図に示すように一定時間………開放されるのを１サイクルとし、そのサイクルが所定サイクル…まで繰り返されることを内容とする。」（第４頁左下欄第７行−右下欄第５行）
　また、図面第２図の記載からみて、左右上方の風車６，６の下方から可変表示器２４を備えた変動入賞装置２０の方向へと遊技球を導く連釘を設けているものと認められる。
（３） 引用例３
　引用例３［実願平２−６８０６５号（実開平４−２７９７９号）のマイクロフィルム］には、図面とともに、次の事項が記載されている。
「第６図は、入賞口である誘導釘１０Ａ，１０Ｂに電流が流れた状態を示す。弾発された球が遊技盤３の遊技面を転動して落下する際、電流が流れ磁力作用が発生した誘導釘１０Ａ，１０Ｂの釘間に球を誘導作用するため入賞を容易とする。つぎに、第７図は誘導釘１０Ｃ，１０Ｄ，１０Ｅ，１０Ｆに電流が流れ、この４本の釘に磁力が生じる為、球は外側に誘導され易く、この場合アウトになり易い。」（第３頁第１４行−第４頁第３行）
「図面第４図５図は、上記のように構成されたパチンコ機１の遊技盤３に配設する、可変表示役物７の役物取付基台１１に、誘導釘１０Ａ〜Ｆを一体形成した図を示す。ここで可変表示役物７を説明する。該可変表示役物７は、複数の開口部に複数の表示部１３を形成し、弾発された遊技球が特定入賞口１２に入賞すると、前述した可変表示役物７の表示部１３の表示態様を変換させる権利が発生する。変換停止時の識別情報１４の組合せが、予め定められた特定表示態様になると、遊技盤３に設けられた可変入賞装置１５の開閉蓋１６を一定時間、または所定個数の入賞球が入賞するまで開閉動作するよう構成されている。上述する可変表示役物７の役物取付基台１１に複数の誘導釘１０Ａ〜Ｆを一体的に嵌挿形成するものである。」（第５頁第１９行−第６頁第１５行）
　また、図面第６，７図の記載からみて、可変表示役物７の両側に、連釘が設けられ、該連釘は、パチンコ球を可変表示役物７の方向へと導くものと認められる。
（４） 引用例４
　引用例４［実願平２−５５０号（実開平３−９４２８７号）のマイクロフィルム］には、図面とともに、次の事項が記載されている。
「本考案は、入賞口から受け入れた球は入賞球として取り込む一方、該入賞口の横に開口するワープ入口から受け入れた球は入賞口の下方のワープ出口から遊技部内に流下させるようにしたパチンコ機の入賞具に関するものである。」（第１頁第１６−２０行）
　また、第４，５図の記載からみて、左右上方の風車の下方から可変表示器２９を備えた変動入賞装置２６の方向へと遊技球を導く連釘を設けているものと認められる。
　
３．本願発明と引用発明との対比
　本願発明と、引用発明とを比較すると、
　引用発明の「打ち出されたパチンコ玉」「盤面」「風車３０，３０」「複数の図柄を可変表示可能な三連表示装置１を備える役物本体２」「三連表示装置始動用の入賞口となるセンター下部チャッカー２６」「誘導部材１１，１１」「間隙」は、それぞれ本願発明の「遊技者が弾発した打球」「遊技部」「風車」「複数の図柄を可変表示可能な図柄表示部を備える特別図柄表示装置」「特別図柄表示装置の可変表示を開始させる始動手段」「球誘導片」「球落下部」に相当するものと認められる。
　また、引用発明の「開閉型入賞球装置２５」と、本願発明の「特別図柄表示装置が停止表示する図柄の表示態様により作動して、遊技者に不利な第１状態と遊技者に有利な第２状態とに変換可能な変動入賞装置」とは、「遊技者に不利な第１状態と遊技者に有利な第２状態とに変換可能な変動入賞装置」であることで共通する。
　そうすると、引用発明と本願発明の両者は「遊技者が弾発した打球が流下する遊技部に、風車と、複数の図柄を可変表示可能な図柄表示部を備える特別図柄表示装置と、この特別図柄表示装置の可変表示を開始させる始動手段と、遊技者に不利な第１状態と遊技者に有利な第２状態とに変換可能な変動入賞装置とを備えるパチンコ機において、前記特別図柄表示装置の下縁の両側には、遊技者が弾発した球を誘導可能な球誘導片を設けるとともに前記球誘導片の間には球落下部を形成し、前記球落下部の下方に始動手段を配設するとともに、当該始動手段は特別図柄表示装置と変動入賞装置との間に配設されているパチンコ機」である点で一致し、以下の点で相違しているものと認められる。
　
・ 相違点１
　変動装置が、本願発明では、特別図柄表示装置が停止表示する図柄の表示態様により作動するのに対し、引用発明では、その構成を備えているか否か不明である点。
・ 相違点２
　本願発明は、特別図柄表示装置の左右の斜上方に配設した風車の各々の下方から第１の連釘及び球誘導片に連なる第２の連釘を配置して前記球誘導片と共に誘導手段を形成し、前記誘導手段は、遊技者が遊技盤のほぼ中央へ向けて弾発した球のほとんどを誘導して球落下部から下方に配設された始動手段の上方へ流下させるようにしているのに対し、引用発明は、役物本体２の左右の斜上方に配設された風車３０，３０の下方から第１の連釘と誘導部材１１に連なる第２の連釘とを配置していない点。
　
４．当審の判断
　そこで、上記相違点について検討する。
i. 相違点１について
　引用発明を認定した引用例１には、三連表示装置１が予め定められた表示結果（例えばぞろ目）となった場合に何が生ずるか、また、開閉型入賞球装置２５が何を契機として遊技者に有利な開状態となって広幅入賞口２４に入賞可能となるのか、三連表示装置１の表示結果と開閉型入賞球装置２５の作動との関連が明示されていない。
　しかしながら、引用発明の三連表示装置１のような可変表示装置がぞろ目などの特定の表示結果となった場合に、開閉型入賞球装置２５に設けられた広幅入賞口２４のような変動入賞装置が遊技者に有利な開状態となることは、引用例２乃至引用例４等に記載されているように周知技術であり、引用発明において、三連表示装置１の所定の表示結果により、開閉型入賞球装置２５が作動することは当業者にとって自明である。
ii.　相違点２について
　引用例３には、可変表示役物７の両側に、連釘が設けられていることが記載されており、該連釘は、誘導釘１０と直接連なるものでもないが、高い確度でパチンコ球を可変表示役物７に設けられた誘導釘１０の方向へと導くことが明らかであるので、連釘が誘導釘１０と一連の部材として一体的に作用してパチンコ球の行方を決定しているといえる。
　とすると、引用発明において、誘導部材１１と連なるように連釘を設けることは、パチンコ球の誘導に関し、連釘と誘導釘とで一連の機能を果たすことが引用例３等に記載されているように周知技術であるので、当業者にとって格別困難なく想起し得る事項である。
　また、風車の下方から表示装置を備えた中央役物の方向へと遊技球を導く連釘を設けることが引用例２，４等に記載されているように周知技術である以上、引用発明における風車の下方から中央役物の方向へ連釘を設けることは、当業者にとって格別困難なことではない。
　さらに、そのような風車の下方から中央役物の方向へ向けた連釘と、中央役物に設けられた部材と連なる連釘を配置することが、それぞれ当業者が容易になし得たものであり、その異なる２種類の連釘を引用発明において同時に設けることに特段の阻害要因が見出せない以上、相違点２に係る本願発明の構成とすることは当業者が容易に想到し得たものというべきである。
　そして、前述の２種類の連釘を設けた際に、遊技者が遊技盤のほぼ中央へ向けて弾発した球のほとんどを誘導して球落下部から下方に配設された始動手段の上方へ流下させるようにすること、及び、その他の本願発明の奏する作用・効果は、引用発明及び周知技術より当業者が予測し得る範囲内のものである。
　したがって、本願発明は、引用発明及び周知技術に基づいて当業者が容易に発明をすることができたものである。
　
５．むすび
　以上のとおりであるから、請求項１に係る発明は、引用発明及び周知技術に基づいて当業者が容易に発明をすることができたものであるので、特許法第２９条第２項の規定により特許を受けることができない。
　よって、結論のとおり審決する。